(57)【要約】【課題】  監視ライブカメラと複数の携帯電話とパソコンとメイン・サーバーと監視サーバーとをインターネット網を介して組み合わせた遠隔監視システムにおいて、監視システムを構成する各装置に異常が発生した場合にも対応可能なセキュリティシステムとする。【解決手段】  監視ライブカメラと登録された携帯電話と登録されたパソコンとメイン・サーバーと監視サーバーとをインターネット網を介して組み合わせたライブカメラ・セキュリティシステムにおいて、監視ライブカメラのセンサーによって監視する異常のみならず、監視ライブカメラの異常、メイン・サーバーの異常、監視サーバーの異常などの異常事態を、インターネット網を介して予め登録した各携帯電話に通知して、関係者が異常発生への迅速な対処とシステムの的確な運用ができるようにする。【選択図】        図２
0003113937.tif 000002
【実用新案登録請求の範囲】
【請求項１】
監視ライブカメラと複数の携帯電話とメイン・サーバーと監視サーバーとをインターネット網を介して組み合わせたライブカメラ・セキュリティシステムにおいて、
監視ライブカメラのセンサーが感知した異常情報を、インターネット網を介してメイン・サーバーに通知し、メイン・サーバーは、登録された電話番号に異常をいち早く通知し、また、登録されたメールアドレスに異常箇所の情報内容を記したメールを発信する手段と、
監視ライブカメラが、動作中であることをメイン・サーバーに通知し、メイン・サーバーは、一定期間内にカメラからの通知がない場合には、登録されたアドレスにカメラの異常のメールを送信し、また、登録された電話番号にカメラの異常を通知する手段と、
メイン・サーバーが、監視サーバーに動作中であることを通知して、一定時間内にメイン・サーバーからの通知がない場合には、監視サーバーは、メイン・サーバーに代わり、登録されたアドレスにメイン・サーバーの異常のメールを送信し、また、登録された電話番号にメイン・サーバーの異常を通知する代行管理手段と、
監視サーバーが、メイン・サーバーに動作中であることを通知して、一定時間内に監視サーバーからの通知がない場合には、メイン・サーバーは、登録されたアドレスに監視サーバーの異常のメールを送信し、また、登録された電話番号に監視サーバーの異常を通知する相互監視手段とを備え、登録された全員が、メールまたは携帯電話の通知により、ライブカメラ・セキュリティシステムの監視ライブカメラのセンサーが感知した異常と、監視ライブカメラの動作異常と、メイン・サーバーの動作異常と、監視サーバーの動作異常について、確認できるライブカメラ・セキュリティシステム。
【考案の詳細な説明】
【技術分野】
【０００１】
本考案は、監視ライブカメラと携帯電話とメイン・サーバーと監視サーバーとをインターネット網を介して組み合わせた監視ライブカメラ・セキュリティシステムに関する。
【背景技術】
【０００２】
従来から、監視用カメラを用いて遠隔監視を行うシステムは広く知られており、各種機器の故障監視や防犯などを行うセキュリティシステムを専用の通信回線を介して遠隔的に監視・制御する遠隔監視セキュリティシステムが多数開発されている。
また、遠隔監視を行うための手段として、インターネット通信回線や携帯電話の移動体無線通信システムが広範囲に普及し、インターネットや携帯電話を利用した遠隔監視システムの開発が積極的に進められている。
【０００３】
特許文献１には、インターネットを利用した監視システムが記載されている。
図８に、特許文献１記載の監視システムを示す。
図８を参照すると、インターネットに接続したサーバーに中継手段及びＩＳＤＮ回線を介して複数の被監視場所に設置した各監視ユニットを接続し、任意の監視用端末をインターネットのサーバーに商用プロバイダを通してダイアルアップＩＰ接続し、監視用端末から任意の監視ユニットへの接続要求に応じ、サーバーに監視ユニットの１つを中継手段及びＩＳＤＮ回線により選択接続し、選択された監視ユニットの監視カメラで撮像した映像データをサーバーのキャプチャにリアルタイムに張り付け、監視用端末ではキャプチャに張り付けた監視用画像データを監視用端末の表示部にリアルタイムに表示する監視システムが記載されている。
【０００４】
また、特許文献２には、監視者がネットワークに接続できる任意の場所からいつでも自由に被監視場所の監視および監視機器の制御ができるシステムが記載されている。
図９に、特許文献２記載の監視システムを示す。
図９を参照すると、被監視場所に１つまたは複数個設置された監視カメラ（監視機器）と、１つまたは複数個の監視機器を制御するサーバーと、サーバーとネットワークを介して被監視場所外に接続できる１つまたは複数の外部端末とを備え、外部端末は、サーバーを介して監視カメラ毎に監視カメラに対する制御を行って被監視場所監視情報を収集する手段と、収集した記監視情報を表示する手段とを有する監視システムが記載されている。
【０００５】
更に、特許文献３には、モバイル端末を利用したセキュリティ監視システムが記載されている。
図１０に、特許文献３記載のセキュリティ監視システムを示す。
図１０を参照すると、既存のネットワーク回線を有効に活用して、自宅やオフィスの状況を監視し、不法侵入者に対して警察への通報などの対応を迅速にし、携帯電話などで簡単に利用することができるセキュリティ監視システムとして、監視センターに設置されたセンター監視サーバーと、ユーザの自宅やオフィスに設置されたセキュリティサーバーとを備え、該セキュリティサーバーは、インターネットを介して前記センター監視サーバーに相互に接続され、前記監視センターでユーザの自宅やオフィスのセキュリティを一元的に管理し、前記セキュリティサーバーを、ＡＤＳＬなどのネットワーク回線を介して前記監視センターのセンター監視サーバーに接続させるようにしたセキュリティ監視システムが記載されている。
【０００６】
また、最近では、インターネット通信機能（ＩＰｖ６：Ｉｎｔｅｒｎｅｔ  Ｐｒｏｔｏｃｏｌ  ｖｅｒｓｉｏｎ  ６対応など）と、充実したカメラコントロール機能とを備えたネットワークカメラが開発されており、これらのネットワークカメラを用いて、効率的な遠隔監視システムを構築することが可能となっている。
【０００７】
図６に、上記のインターネット通信機能を備えたネットワークカメラの正面図、背面図及び設置例を示す。また、図７には、図６に記載されたネットワークカメラの機能の一部を示す。
図６を参照すると、ネットワークカメラの正面には、ＣＣＤ（Ｃｈａｒｇｅ  Ｃｏｕｐｌｅｄ  Ｄｅｖｉｃｅ）レンズ、インジケータ、ＳＤ（Ｓｅｃｕｒｅ  Ｄｉｇｉｔａｌ）メモリカードの挿入口が配置され、背面には、ＡＶ（Ａｕｄｉｏ  Ｖｉｓｕａｌ）端子、ＬＡＮ（Ｌｏｃａｌ  Ａｒｅａ  Ｎｅｔｗｏｒｋ）ジャック、Ｉ／Ｏ（Ｉｎｐｕｔ／Ｏｕｔｐｕｔ）コネクタ、ＤＣＩＮ（Ｄｉｒｅｃｔ  Ｃｕｒｒｅｎｔ  ＩＮｐｕｔ）ジャックなどが配置されている。天井設置時には、カメラは水平方向に３５０度の旋回と９０度の傾斜が可能であり、卓上設置時には、カメラは水平方向に３５０度の旋回と１２０度の傾斜が可能である。
【０００８】
図６に記載されたネットワークカメラは、ＡＤ端子によりテレビで監視した画像を確認し、ビデオに録画することができるほか、インターネットの通信機能（ＩＰｖ４、ＩＰｖ６や、ＨＴＴＰ（ＨｙｐｅｒＴｅｘｔ  Ｔｒａｎｓｆｅｒ  Ｐｒｏｔｏｃｏｌ）に対応しているので、インターネット網を介して遠隔監視が可能である。
また、レンズ部は、高精細カラーイメージセンサーを採用し、高画質の画像を撮影でき、画像更新速度が高速であるので、動きのある被写体の映像を監視できるライブカメラとして用いることができる。
【０００９】
更に、図７を参照すると、このネットワークカメラは、各カメラに複数個のセンサーを取り付け可能である。センサーが、例えば、防犯のため、不審者を感知し、あるいは装置の異常を感知した場合に、メイン・サーバーにメールで異常を通知することや、異常を感知した場所、方向にカメラを向けることができる。また、センサーが異常を感知した場合に、照明ライトをつけて照明することや、威嚇のために警報ランプを点灯することができる。また、カメラで撮影した画像は、ＳＤメモリカードに録画することができる。１ＧＢのＳＤカードの場合に３２０×２４０サイズで約６万枚（３秒毎の録画で約５０時間）の録画が可能である。また、専用ソフトを用いれば、インターネット経由で、録画された画像を閲覧し取得することが可能である。
【００１０】
【特許文献１】特開２０００−０８３２９０号公報
【特許文献２】特開２００２−０３４０２６号公報
【特許文献３】特開２００４−００５２９４号公報
【考案の開示】
【考案が解決しようとする課題】
【００１１】
上記の従来のライブカメラは、比較的低コストであり、しかも非常に多機能であって、多数のライブカメラをインターネット技術と携帯電話の無線通信技術と組み合わせることにより、大規模で効率的な遠隔監視システムを構築することができる。
しかしながら、非常に多機能な装置を組み合わせて、大規模な監視システムを構築する場合に、システムを構築する多数の装置自体や、システムを構築する多数の装置と組み合わされる装置自体に故障などにより異常が発生した場合には、セキュリティでの異常事態が発生しても異常を検知することができなくなり、あるいは、異常でもないのに異常信号が発生するなど、異常の発生に迅速に対処することが困難になるという問題があった。
【課題を解決するための手段】
【００１２】
本考案は、監視ライブカメラと複数の携帯電話とメイン・サーバーと監視サーバーとをインターネット網を介して組み合わせた監視ライブカメラ・セキュリティシステムにおいて、監視ライブカメラのセンサーによって監視した異常事態を、インターネットを介して、予め登録した携帯電話に通知するだけでなく、監視ライブカメラ自体の異常についても監視して、登録した携帯電話に通知し、また、異常を監視して登録した携帯電話に通知するメイン・サーバー自体の異常についても監視サーバーが監視して、メイン・サーバーの機能を代行して登録した携帯電話に通知し、更には、メイン・サーバーの異常を監視する監視サーバー自体の異常についても、メイン・サーバーと監視サーバーとの相互監視により監視してインターネット網を介して登録した携帯電話に通知することを特徴とする。
また、これらの異常の通知は、登録した携帯電話だけでなく、登録したパソコンにも通知するようにすることができる。
【考案の効果】
【００１３】
本考案によれば、予め登録した携帯電話を保有する全員が、各種の異常事態、すなわち、セキュリティ上の異常事態、監視ライブカメラの異常事態、メイン・サーバーの異常事態、監視サーバーの異常事態を的確に確認して、関連する者が、システムの的確な運用と異常事態への適切な対処を行うことができる
【考案を実施するための最良の形態】
【００１４】
以下、図面を用いて、本考案の実施の形態について説明する。
【実施例】
【００１５】
図１に、本考案の監視ライブカメラ・セキュリティシステムのシステム概念図を示す。
図１を参照すると、まず、（１）監視ライブカメラのセンサーが異常を感知すると、（２）警報用のパトランプを点灯して不審者に対して威嚇を行う。（３）監視ライブカメラの映像は、施設のパソコンで常時監視されているが、（４）監視ライブカメラは、異常を感知すると、異常信号を発信し、カメラ自身の識別番号ＩＤでインターネットにメールを発信する。また、（５）メイン・サーバーは、異常信号を受信すると、特定の電話番号で登録された携帯電話へ電話発信を行い、メールを受信すると、登録された携帯電話へメールを発信する。監視サーバーがメイン・サーバーを監視しており、メイン・サーバーが故障の場合には、監視サーバーにおいてメイン・サーバーの代行管理を行う。そして、（６）事前に登録された携帯電話では、サーバーより発信された電話番号を予め異常発生と登録しておき、（７）受信した異常をバイブレーション（振動）で感知して、登録した携帯電話のディスプレイ画面で目視により異常を確認し、受信したメールによりどこの場所で異常があるか画像で確認する。こうして、（８）登録された全員が、異常事態を確認して、事態の共有化が行われて、速やかに緊急の体制をとることができる。
【００１６】
図２には、監視ライブカメラ１と、携帯電話２と、メイン・サーバー３と、監視サーバー４とがインターネット網５を介して組み合わされた監視システムが記載されている。
図２には、１個の携帯電話２が記載されているが、図１に示したように、複数の携帯電話を登録することができる。また、図２には、パソコンについて記載されていないが、図１に示したように、登録したパソコンにも異常を通知するようにすることができる。
また、図２には、１個のメイン・サーバー３が記載されているが、１個の監視サーバーに対して、複数のメイン・サーバー３を設置することができる。更に、監視システムの大規模な場合には、複数の監視サーバーを設けることもできる。
【００１７】
図２には、複数の監視ライブカメラを、複数のカメラグループ毎に複数台、設置する例が記載されているが、本考案は、１台の監視ライブカメラを備えたセキュリティシステムにも、複数の監視ライブカメラを備えた大規模なセキュリティシステムにも適用可能である。大規模なセキュリティシステムとしては、１グループに最大１２台の監視ライブカメラを設置して、各カメラグループ毎に、グローバルＩＰ（インターネットプロトコル）アドレスを設定することにより、複数のグループ内に、それぞれ最大１２台の監視用ライブカメラを備えた大規模なインターネット監視システムとすることも可能である。
【００１８】
本考案の、監視ライブカメラを備えたインターネット監視システム（以下、「監視ライブカメラ・セキュリティシステム」と称す。）は、大別すると、監視ライブカメラを備えたカメラシステムと、カメラシステムからの異常発信やメールを常に監視して、予め登録されたメールアドレス及び電話番号に異常を通知する異常感知・通知システムと、監視ライブカメラの動作を監視して異常を通知し、また、メイン・サーバーと監視サーバーの動作を監視して異常を通知する動作監視システムとを備えている。
【００１９】
図３に、監視ライブカメラを使用した監視システムの異常感知・通知の動作概要を示す。
図３において、複数のカメラグループ内の特定の監視ライブカメラ１のセンサーが異常発生を感知（ステップＳ１）すると、監視ライブカメラ１のレンズが旋回及び傾斜して自動的にセンサーを設置している方向へ監視ライブカメラ１のレンズを向ける（ステップＳ２）。
このとき、監視ライブカメラ１は、警報ランプを点灯し、ＳＤカードにカメラが向けられた異常個所の映像を記憶することができる。
【００２０】
同時に、監視ライブカメラ１は感知した異常発生の情報をインターネット網５を介してメイン・サーバー３に通知する（ステップＳ３）。メイン・サーバー３は、カメラ１から異常を通知される（ステップＳ４）と、メイン・サーバー３内の処理として、感知された異常を元に、通知先を判断（ステップＳ５）し、登録されているアドレスにメールを発信（ステップＳ６）し、登録されている電話番号に、異常を通知（ステップＳ７）する。メールはＥ−ｍａｉｌ（電子メール）として携帯電話２に送信（ステップＳ６）され、また、異常通知は、モデムもしくはＩＰ（インターネットプロトコル）フォンを介して緊急コールとして携帯電話２に通知（ステップＳ７）される。携帯電話２では、監視ライブカメラ１のセンサーが感知した異常を感知（ステップＳ８）することができる。
【００２１】
図４に、監視ライブカメラを使用した監視システムのカメラの動作監視を行う動作概要を示す。
図４において、監視ライブカメラ１は、インターネット用のプロトコル（ＦＴＰ：ファイル・トランスファー・プロトコルなど）を用いて、インターネット網５を介して、メイン・サーバー３に動作中であることを通知（ステップＳ９）する。メイン・サーバー２は、監視ライブカメラ１から動作中であることを通知（ステップＳ１０）する。
メイン・サーバー３は、メイン・サーバー３内の処理として、一定時間内に監視ライブカメラ１から通知があれば、正常動作と判断（ステップＳ１１）し、一定時間内に監視ライブカメラ１からの通知がない場合には、一定時間通知の無いカメラに対応して登録された通知先を判断（ステップＳ１２）し、登録されているアドレスにメールを送信（ステップＳ１３）し、登録されている電話番号に、監視ライブカメラ１の異常を通知（ステップＳ１４）する。
【００２２】
メールはＥ−ｍａｉｌ（電子メール）として携帯電話２に送信（ステップ１３）され、また、異常通知は、モデムもしくはＩＰ（インターネットプロトコル）フォンを介して緊急コールとして携帯電話２に通知（ステップ１４）される。携帯電話２では、監視ライブカメラに異常が発生したことを感知（ステップＳ１５）することができる。
【００２３】
図５に、監視ライブカメラを使用した監視システムのサーバー動作監視の動作概要を示す。
図５において、メイン・サーバー３は、インターネット用のプロトコル（ＦＴＰ：ファイル・トランスファー・プロトコルなど）を用いて、インターネット網５を介して、監視サーバー４に動作中であることを通知（ステップＳ１６）する。
監視サーバー４は、監視サーバー４内の処理として、一定時間内にメイン・サーバーから通知があれば、正常動作と判断（ステップＳ１７）し、一定時間内にメイン・サーバー３からの通知がない場合には、一定時間通知の無いメイン・サーバー３から登録された通知先を判断（ステップＳ１８）し、登録されているアドレスにメールを送信（ステップＳ１９）し、登録されている電話番号に、メイン・サーバー３の異常を通知（ステップＳ２０）する。
【００２４】
メールはＥ−ｍａｉｌ（電子メール）として携帯電話２に送信（ステップ１９）され、また、異常通知は、モデムもしくはＩＰ（インターネットプロトコル）フォンを介して緊急コールとして携帯電話２に通知（ステップ２０）される。携帯電話２では、監視ライブカメラに異常が発生したことを感知（ステップＳ１５）することができる。
【００２５】
また、監視サーバー４は、インターネット用のプロトコル（ＦＴＰ：ファイル・トランスファー・プロトコルなど）を用いて、インターネット網５を介して、メイン・サーバー３に動作中であることを通知（ステップＳ２１）する。
メイン・サーバー３は、メイン・サーバー３内の処置として、一定時間内に監視サーバー４から通知があれば、正常動作と判断（ステップＳ２２）し、一定時間内に監視サーバー４からの通知がない場合には、一定時間通知の無い監視サーバー４から登録された通知先を判断（ステップＳ２３）し、登録されているアドレスにメールを送信（ステップＳ２４）し、登録されている電話番号に、監視サーバー４の異常を通知（ステップＳ２５）する。
【００２６】
メールはＥ−ｍａｉｌ（電子メール）として携帯電話２に送信（ステップ１９、ステップＳ２４）され、また、異常通知は、モデムもしくはＩＰ（インターネットプロトコル）フォンを介して緊急コールとして携帯電話２に通知（ステップ２０、ステップＳ２５）される。携帯電話２では、メイン・サーバー３、監視サーバー４に異常が発生したことを感知（ステップＳ２６）することができる。また、図３〜図５には、パソコンについて記載されていないが、図１に示したように、登録したパソコンにも異常を通知するようにすることができる。
【図面の簡単な説明】
【００２７】
【図１】図１は、本考案の監視ライブカメラ・セキュリティシステムのシステム概念図である。
【図２】図２は、監視ライブカメラを使用した監視システムの概要を示す図である。
【図３】図３は、監視ライブカメラを使用した監視システムの異常感知・通知の動作概要を示す図である。
【図４】図４は、監視ライブカメラを使用した監視システムのライブカメラの動作監視を行う動作概要を示す図である。
【図５】図５は、監視ライブカメラを使用した監視システムのサーバー動作監視の動作概要を示す図である。
【図６】図６は、インターネット通信機能を備えた監視用ネットワークカメラの正面図、背面図及び設置例を示す図である。
【図７】図７は、図６に記載された監視用のネットワークカメラの機能の一部を示す図である。
【図８】図８は、インターネットを用いた監視システムの従来例を示す図である。
【図９】図９は、ネットワークを用いた監視システムの他の従来例を示す図である。
【図１０】図１０は、モバイル端末とインターネットを用いた監視システムの他の従来例を示す図である。
【符号の説明】
【００２８】
１    監視ライブカメラ
２    携帯電話
３    メイン・サーバー
４    監視サーバー
５    インターネット網
【図１】
0003113937.tif 000003
【図２】
0003113937.tif 000004
【図３】
0003113937.tif 000005
【図４】
0003113937.tif 000006
【図５】
0003113937.tif 000007
【図６】
0003113937.tif 000008
【図７】
0003113937.tif 000009
【図８】
0003113937.tif 000010
【図９】
0003113937.tif 000011
【図１０】
0003113937.tif 000012